(57)【要約】      （修正有）【課題】加工が容易で飽きにくい手指運動具を提供する。【解決手段】手指運動具１０は、立方体形状をして各面が交差する角部にアールが形成されるとともに６つの各面の中心から偏った位置に円柱状孔が途中までの深さでそれぞれ穿設されたブロック１１と、円柱状孔に一部が挿入可能な円柱形をした６本のピン１３との組み合わせからなる。この手指運動具１０を用いれば、使用者はブロック１１を片方の掌内に持ち、このブロック１１を握った状態でブロック１１を持っている同じ手の親指と人差指でピン１３を１本取り、残る他の指を使ってブロック１１を動かしながらそのピン１３を任意の円柱状孔に挿入すれば、多少の困難さを伴って努力しながら、ゲーム感覚を持って複数の手指を同時に異なった動きをさせる複雑な手指の運動をすることができ、これにより楽しみながら脳を活性化させることができる。【選択図】図２
0003144625.tif 000002
【実用新案登録請求の範囲】
【請求項１】
立方体形状または直方体形状をして各面が交差する角部にアールが形成されるともに前記各面の中心から偏よった位置に円柱状孔が途中までの深さで穿設されたブロックと、前記円柱状孔に一部が挿入可能な円柱形をした複数本のピンとの組み合わせからなる手指運動具。
【考案の詳細な説明】
【技術分野】
【０００１】
本考案は、高齢者等を対象として手の指の運動をすることで脳を活性化させる手指運動具に関する。
【背景技術】
【０００２】
従来、高齢者等が手の指の運動をする器具が種々考案され、実用化されており、例えば特許文献１及び２に記載されている。特許文献１の手指健康器具は、略球形状の一対の握り部材が円柱形状の間隔子により所定間隔を空けて相互に回転可能に連結され、これら握り部材に複数の円柱形状の押し圧部材が圧入固定されて、突起部が形成されている。この手指健康器具では、一方の握り部材を片方の手で保持した状態で他方の握り部材をもう片方の手で握って回転させるときに、複数の押し圧部材が指や掌のつぼを刺激する効果が得られる。
【０００３】
特許文献２の木製健康器具は、直方体形状をして各面の角部にアールを形成した複数の木製ブロックからなり、これらの木製ブロックを掌内で回転させたり、互いに移動させたりして、手指の運動を行うものである。
【特許文献１】特開平１０−１３７３２０号公報
【特許文献２】特開２００４−２４２７２３号公報
【考案の開示】
【考案が解決しようとする課題】
【０００４】
上記の特許文献１の手指健康器具は、手指の運動を積極的にするものでなく複数の押し圧部により指や掌のつぼを刺激するものであるために、手指の運動によって脳を充分に活性化させることができなかった。また、この手指健康器具の握り部材を木製部材で生産したときには、球形状に加工するのに手間がかかる問題があった。
【０００５】
また、上記の特許文献２の木製健康器具は、直方体形状をして各面の角部にアールを形成した複数の木製ブロックであるので、加工するのにあまり手間がかからないが、複数の木製ブロックを掌内で回転または互いに移動させて手指の運動を行うものであるので、操作が簡単すぎて達成感に乏しく、娯楽性を欠いて手指の運動をしていても飽きやすい問題があった。本考案は、これらの各問題を解決することを目的とする。
【課題を解決するための手段】
【０００６】
この考案による手指運動具は、立方体形状または直方体形状をして各面が交差する角部にアールが形成されるともに各面の中心から偏よった位置に円柱状孔が途中までの深さで穿設されたブロックと、円柱状孔に一部が挿入可能な円柱形をした複数本のピンとの組み合わせからなる。
【考案の効果】
【０００７】
この考案による手指運動具を用いた手指の運動の一例として、使用者はブロックを片方の掌内に持ち、このブロックを握った状態でブロックを持っている同じ手の指を使ってピンを１本取り、残る他の指を使って掌の中でブロックを動かしながらそのピンを任意の円柱状孔に挿入するようにすれば、多少の困難さを伴って努力をしながら、ゲーム感覚を持って複数の手指を同時に異なった動きをさせる複雑な手指の運動をさせることができ、これにより楽しみながら脳を活性化させることができる。また、ブロックの各円柱状孔は、各面の中心から偏った位置に形成されているので、全部の円柱状孔を中心に形成したものと比べてピンを挿入させにくくなって、飽きにくくなる。また、本考案のブロックは、各面が交差する角部にアールが形成されているので、ブロックを掌内で回転させたり動かしたりしても角部が刺さって痛くなることがない。
【考案を実施するための最良の形態】
【０００８】
以下、本考案の一実施形態を図面を用いて説明する。図１及び図２は、本考案に係る手指運動具の一実施形態を示しており、この手指運動具１０は、図１に示すように、一つのブロック１１と、６本のピン１３，１３・・・とから構成されている。
【０００９】
図１に示すように、この実施形態のブロック１１は、人の片方の掌内に保持できる大きさの立方体形状の木製ブロックであり、一例としては、一辺の長さが３６ｍｍとなっている。考案者の試作によると、一辺の長さは２５ｍｍ〜４０ｍｍの範囲が適当であった。ブロック１１は、各面が交差する角部にアールが形成されており、この角部のアールにより掌内で動かしても痛くならない。ブロック１１の６つの各面には、中心から偏った位置に各面に対して垂直に延びる円柱状孔１２がそれぞれ穿設されており、本実施形態の各円柱状孔１２は直径８ｍｍで深さ１５ｍｍとなっている。なお、６個の円柱状孔１２のうち１〜２個は、その面の中心から偏っていなくてもよい。
【００１０】
図１に示すように、各ピン１３は、円柱形の木製ピンであり、本実施形態の各ピン１３は、直径８ｍｍで長さ４０ｍｍの大きさとなっている。各ピン１３の軸線方向の両端には、各円柱状孔１２に挿入しやすいように面取りがされている。図２に示すように、各ピン１３は、各円柱状孔１２の深さより長い長さとなっているので、その一部を抓んだ状態で各円柱状孔１２に挿入可能となっている。また、ピン１３の太さは、円柱状孔１２にきつ過ぎずゆる過ぎず滑らかに入る程度に、円柱状孔１２の直径よりごく僅かに細い寸法となっている。
【００１１】
以上のように構成した手指運動具１０を用いた手指の運動方法の一例を説明する。先ず、ブロック１１を片方の掌内に持ち、このブロック１１を握った状態でブロック１１を持っている同じ手の親指と人差指でピン１３を１本摘み取り、残る他の指を使って掌の中でブロック１１の向きを変えながらこのピン１３を任意の円柱状孔１２に合わせて挿入する。次にこの一本のピン１３を円柱状孔１２に挿入した状態で、ブロック１１を持っている同じ手の親指と人差指で再び別のピン１３を１本取り、残る他の指を使って掌の中でこのピン１３が他の円柱状孔１２に挿入しやすい位置にブロック１１を回転させて、このピン１３を他の任意の円柱状孔１２に合わせて挿入する。これを繰り返して図２に示すように６本のピン１３，１３・・・を６つの円柱状孔１２，１２・・・に挿入する。
【００１２】
また、他の手指の運動方法としては、ブロック１１の６つの円柱状孔１２，１２・・・に６本のピン１３，１３・・・を挿入した状態から、ブロック１１を持っている同じ手の指でピン１３を１本ずつ全て抜いていく運動方法がある。
【００１３】
また、上述した手指運動具１０を用いた手指の運動方法では、各ピン１３を各円柱状孔１２に挿入または各ピン１３を各円柱状孔１２から抜き取る時間を計測して、各ピン１３を円柱状孔１２に挿入または各ピン１３を各円柱状孔１２から抜き取るのに要する時間を他の使用者と競うこともできる。
【００１４】
上述したように、本考案による手指運動具１０を用いた手指の運動の一例として、使用者はブロック１１を片方の掌内に持ち、このブロック１１を握った状態でブロック１１を持っている同じ手の指でピン１３を１本取り、残る他の指でブロック１１を動かしながらこのピン１３を任意の円柱状孔１２に挿入していくと、手の指と掌との微妙な位置関係の調節を行うために、複数の手指を同時に異なった動きをさせる複雑な手指の運動をさせることになるので、手の指に関連した脳の働きを大いに活性化させることになり、また、簡単でない作業に挑戦し、達成感を味わうことができるので、飽きることなく楽しみながら脳を活性化させることができる。また、ブロック１１の各円柱状孔１２は、ブロック１１の各面の中心から偏った位置に形成されているので、全部の円柱状孔をブロック１１の各面の中心に穿設したものと比べてピン１３を挿入させにくくなって飽きにくくなる。さらに、本考案のブロック１１は各面が交差する角部にアールが形成されているので、ブロック１１を掌内で回転させたり動かしたりしても角部が刺さって痛くなることがない。また、ブロック１１は、掌内で保持できる程度の大きさの木製ブロックであるので、家具等の木製品を生産したときに余る端材により生産することが可能であり、生産コストを低く押さえることができる。さらに、ブロック１１は、各面の交差する角部にアールを形成し、各面に円柱状孔１２を穿設するだけであるので、複雑な加工をせずに生産することができる。
【００１５】
本実施形態のブロック１１は立方体形状をしているが、本考案はこれに限られるものでなく、直方体形状をしたものでも同様の作用効果を得ることができる。
【００１６】
また、本実施形態のブロック１１、円柱状孔１２及びピン１３の各寸法は上記に記載されたとおりであるが、本考案はこれに限られるものでなく、ブロック１１は片手の掌内に保持できる程度の大きさのものであり、これに形成された円柱状孔１２及びピン１３は、このブロック１１を片方の掌内に握って持った状態でブロック１１を持った方の手の指でピン１３を円柱状孔１２に挿入することができる程度の大きさであればよい。
【図面の簡単な説明】
【００１７】
【図１】本考案の手指運動具のブロックとピンとをそれぞれ分けて表した斜視図である。
【図２】図１のブロックの円柱状孔にピンを挿入した状態を示す斜視図である。
【符号の説明】
【００１８】
１０…手指運動具、１１…ブロック、１２…円柱状孔、１３…ピン。
【図１】
0003144625.tif 000003
【図２】
0003144625.tif 000004